(57)【要約】【課題】汎用の機械で製函でき、嘴部の開閉が簡単な振出箱を提供する。【解決手段】各一対の側板１及び端板２を、継代３を介し接合して周壁をなし、その端縁から延びる蓋板５で封緘し、嘴部９を開いて内容物を振り出すようにした振出箱において、前記嘴部９を、継代３に接合される端板２に斜折線７を入れ、扇状フラップ８を連設して形成し、扇状フラップ８を蓋板５の内面に沿って抜差自在とし、継代３に嘴部９への貼着部分を切断する切目線１０を入れ、嘴部９に指掛部１１を形成する。【選択図】　図３
2004083059.tif 000002
【特許請求の範囲】
【請求項１】
各一対の側板１及び端板２を、継代３を介し接合して周壁をなし、その端縁から延びる蓋板５で封緘し、嘴部９を開いて内容物を振り出すようにした振出箱において、前記嘴部９を、継代３に接合される端板２に斜折線７を入れ、扇状フラップ８を連設して形成し、扇状フラップ８を蓋板５の内面に沿って抜差自在とし、継代３に嘴部９への貼着部分を切断する切目線１０を入れ、嘴部９に指掛部１１を形成したことを特徴とする振出箱。
【請求項２】
前記嘴部９の基端に斜折線７から突き出した弧状の舌片１２を設け、嘴部９の開放に伴い、この舌片１２が継代３に押し付けられるようにしたことを特徴とする請求項１に記載の振出箱。
【請求項３】
前記扇状フラップ８の弧状縁基部に張出部分１４を設け、嘴部９の閉止時に、この張出部分１４が側板１の内面に押し付けられるようにしたことを特徴とする請求項１又は２に記載の振出箱。
【発明の詳細な説明】
【０００１】
【発明の属する技術分野】
この発明は、粒状の菓子等を収納し、嘴部を開いて振り出すようにした紙製の振出箱に関するものである。
【０００２】
【従来の技術】
従来、米国特許５９３４５５０に示されたような振出箱が知られている。この振出箱は、図４に示すように、各一対の側板５１及び端板５２を、継代５３を介し接合して周壁をなし、その端縁から延びる蓋板５４で封緘し、蓋板５４の切欠部に設けた嘴部５５を開いて内容物を振り出せるようにしたものである。
【０００３】
嘴部５５は、一方の端板５２から延びる開閉板５６と側板５１とを中折線５７を有する三角形の折込板５８で繋いだものであり、中折線５７に沿った折込板５８の屈伸に伴い開閉する。再封緘時における嘴部５５の閉止状態は、開閉板５６の先端の舌片５９を蓋板５４の差込穴６０に差し込んで維持する。
【０００４】
【発明が解決しようとする課題】
しかしながら、上記のような振出箱では、製函する際、折込板５８を折り込んで嘴部５５を閉じるために特殊な機械が必要となり、包装コストが高くなるという問題がある。また、内容物の振り出しに際し、嘴部５５を片手で簡単に開くことができないという問題もある。
【０００５】
そこで、この発明は、汎用の機械で製函でき、嘴部の開閉が簡単な振出箱を提供しようとするものである。
【０００６】
【課題を解決するための手段】
上記課題を解決するため、この発明に係る振出箱では、内容物を振り出す嘴部を、継代に接合される端板に斜折線を入れ、扇状フラップを連設して形成し、扇状フラップを蓋板の内面に沿って抜差自在とし、継代に嘴部への貼着部分を切断する切目線を入れ、嘴部に指掛部を形成したのである。
【０００７】
このように構成すると、製函時における特殊な折込が不要となり、汎用の機械で製函でき、内容物を振り出す際には、指掛部に指を掛け、切目線を切断し、斜折線を軸として嘴部を片手で簡単に開くことができる。
【０００８】
また、前記嘴部の基端に斜折線から突き出した弧状の舌片を設け、嘴部の開放に伴い、この舌片が継代に押し付けられるようにすると、嘴部を開放状態で固定できる。
【０００９】
さらに、前記扇状フラップの弧状縁基部に張出部分を設け、嘴部の閉止時に、この張出部分が側板の内面に押し付けられるようにすると、再封緘したとき、嘴部を確実に閉止状態に保持することができる。
【００１０】
【発明の実施の形態】
以下、この発明の実施の形態を添付図面に基づいて説明する。
【００１１】
この振出箱のブランクでは、図１に示すように、各一対の側板１及び端板２が交互に連設され、一方の側板１の外側縁には継代３が連設されている。各側板１の下縁には底板４が、上縁には蓋板５が連設され、各端板２の下縁及び一方の端板２の上縁には角フラップ６が連設されている。
【００１２】
他方の端板２には、外側縁の中間上部から上端内角へかけて斜折線７が入れられ、この端板２の上端縁には、弧状縁を外側として扇状フラップ８が連設されている。そして、斜折線７の上方部分が嘴部９とされている。
【００１３】
継代３には、側板１との境界に沿ったジッパ部分と、その下端から外側縁へ向かう部分とから成る切目線１０が入れられ、継代３の外縁部で切目線１０には繋部が設けられている。図中鎖線の内側には所定幅でニスが塗布され、このニスが切目線１０の下方部分で接着を阻止するように継代３の外側縁まで達している。
【００１４】
嘴部９には、端板２の外側縁に張り出した指掛部１１と、斜折線７から突き出した弧状の舌片１２とが設けられ、継代３には、切目線１０の下方に斜め向きの押罫１３が設けられている。扇状フラップ８の弧状縁基部及び先端部には、張出部分１４，１５がそれぞれ設けられている。
【００１５】
上記ブランクを組み立てるには、図２に示すように、各一対の側板１，２を角筒状に折り曲げ、継代３を反対側の端板２の内面に貼着し、下方の角フラップ６及び底板４を折り曲げて貼り合わせ、内容物を収納後、上方の角フラップ６及び扇状フラップ８を折り曲げ、蓋板５を閉じて角フラップ６と貼り合わせる。
【００１６】
このように構成した振出箱は、グルアでの継代３の糊付や、内容物収納後の封緘に際し、特殊な折込が不要となり、通常の包装箱と同様に、汎用のグルアや封緘機で製函できる。
【００１７】
そして、内容物を振り出す際には、図３に示すように、継代３から張り出した指掛部１１に指を掛け、切目線１０のジッパ部分を切断し、斜折線７を軸として嘴部９を片手で簡単に開くことができる。
【００１８】
また、嘴部９の開放に伴い、舌片１２が継代３に押し付けられ、押罫１３に係合するので、嘴部９が開放状態で固定され、このとき、張出部分１５が側板１の内面に押し付けられて抵抗が増すので、扇状フラップ８の抜出が防止される。
【００１９】
さらに、図２に示すように、嘴部９の閉止時に、張出部分１４が側板１の内面に押し付けられるので、再封緘したとき、嘴部９を確実に閉止状態に保持することができる。
【００２０】
【発明の効果】
以上のように、この発明に係る振出箱は、製函時における特殊な折込が不要となることから、汎用の機械で製函でき、包装コストを削減できるほか、内容物を振り出す際には、指掛部に指を掛け、切目線を切断し、斜折線を軸として嘴部を片手で簡単に開くことができるので、扱いやすいものとなる。
【図面の簡単な説明】
【図１】この発明の実施形態に係る振出箱のブランクを示す図
【図２】同上の嘴部閉止状態を示す斜視図
【図３】同上の嘴部開放状態を示す斜視図
【図４】従来の振出箱の嘴部開放状態を示す斜視図
【符号の説明】
１　側板
２　端板
３　継代
４　底板
５　蓋板
７　斜折線
８　扇状フラップ
９　嘴部
１０　切目線
１１　指掛部
１２　舌片
１３　押罫
１４，１５　張出部分
【図１】
2004083059.tif 000003
【図２】
2004083059.tif 000004
【図３】
2004083059.tif 000005
【図４】
2004083059.tif 000006